(57)【特許請求の範囲】
【請求項１】
グランド上に設置される基台と、この基台から上方に向かって突出する起立姿勢とされ、その突出端部の上端面に打撃される球を載置可能とするポストとを備え、このポストの少なくとも上部が弾性を有した球打撃練習用ティーにおいて、
上記ポストの上部側が球の打撃方向の前方に向かって往回動可能、かつ、これとは逆に復回動可能となるよう上記ポストの下部を上記基台に枢支する枢支具と、上記ポストの上記起立姿勢からの後方回動を阻止するストッパと、上記基台とポストとに架設され、このポストを復回動させるよう付勢するばねとを設け、
上記ポストを往回動させてこのポストを基台に近接させたとき、上記ポストの自重が、上記ばねの付勢によるポストの復回動を阻止するようにし、
上記起立姿勢のポストの下部における上下方向の中途部を上記枢支具により基台に枢支し、上記ポストの下部自由端が上記ポストの往回動で上方回動する一方、上記ポストの復回動で下方回動するようにし、このポストが往回動した状態で、このポストの下部自由端をその上方から踏動可能とし、この踏動と上記ばねの付勢力とにより上記ポストを復回動させて上記起立姿勢にさせることができるようにしたことを特徴とする球打撃練習用ティー。
【発明の詳細な説明】
【技術分野】
【０００１】
本発明は、野球やソフトボールの練習用として、所定高さに位置させた球をバットで打撃可能にさせるようにした球打撃練習用ティーに関するものである。
【背景技術】
【０００２】
上記球打撃練習用ティーには、従来、下記特許文献１に示されるものがある。この公報のものによれば、上記ティーは、グランド上に設置され、打撃される球を、その上端面に載置可能とするものであり、グランド上に設置される基台と、この基台から上方に向かって突出する起立姿勢とされ、その突出端部の上端面に球を載置させるポストとを有している。また、このポストは、その上部が弾性を有している。
【０００３】
上記ティーを用いての練習者による球打撃練習時には、まず、上記ティーのポストの上端面に球を載置して、この球を所定高さに位置させる。練習者は、上記ティーの側方のグランド上に立ってバットを構える。そして、上記ティー上の球から眼が離れないようこの球をよく見た状態でバットを振ることにより、所望の打撃練習を行なう。この打撃時、通常、上記ポストの上端部には球の打撃方向の前方に向かってバットから衝撃力が与えられるが、この衝撃力は上記ポストの上部が前下方に向かって弾性的に屈曲することにより、ある程度緩和される。
【先行技術文献】
【特許文献】
【０００４】
【特許文献１】特表２００８−５３９９６７号公報
【発明の概要】
【発明が解決しようとする課題】
【０００５】
ところで、上記したようにティーのポスト上に載置した球をバットで打撃する場合、このバットからポストの上端部に与えられる衝撃力は、前記したようにポストの上部が前下方に向かって弾性的に屈曲することによりある程度緩和されるが、このように前下方に屈曲したポストの上部の慣性力は、前方に向かう衝撃力として上記ポストの下部側に与えられる。
【０００６】
このため、上記衝撃力により、上記ティーはグランド上を少しずつ位置ずれしがちとなる。よって、上記打撃を繰り返した場合には、上記ティーの位置ずれの合計寸法が徐々に大きくなり、ティーの位置が適正範囲から外れがちになる。そこで、これを防止するため、上記ティーの位置ずれを、ある期間毎に修正する作業が必要となる。しかし、このようなティーの位置ずれの修正作業は、上記打撃練習を大きく中断させることになるなど、この練習の効果を阻害するものであって、好ましくない。
【０００７】
また、上記したように、打撃時には、バットからの衝撃力によりポストの上部は屈曲するが、この屈曲角度が大きい場合には、その屈曲部に生じる内部応力が大きくなって、このポストの上部が早期に損傷するおそれがあり、これは、ティーの寿命上、好ましくない。
【課題を解決するための手段】
【０００８】
本発明は、上記のような事情に注目してなされたもので、本発明の目的は、グランド上に設置したティー上の球に対し、打撃練習を繰り返し行なう場合に、グランド上におけるティーの位置ずれの発生を抑制して、このティーの位置ずれの修正作業を少なくできるようにし、もって、打撃練習の効果を向上させることである。
【０００９】
また、本発明の他の目的は、上記ティーの寿命を向上させることである。
【００１０】
請求項１の発明は、グランド２上に設置される基台１１と、この基台１１から上方に向かって突出する起立姿勢とされ、その突出端部の上端面に打撃される球４を載置可能とするポスト１２とを備え、このポスト１２の少なくとも上部が弾性を有した球打撃練習用ティーにおいて、
上記ポスト１２の上部側が球４の打撃方向の前方に向かって往回動Ａ可能、かつ、これとは逆に復回動Ｂ可能となるよう上記ポスト１２の下部を上記基台１１に枢支する枢支具１３と、上記ポスト１２の上記起立姿勢からの後方回動を阻止するストッパ１４と、上記基台１１とポスト１２とに架設され、このポスト１２を復回動Ｂさせるよう付勢するばね１５とを設け、
【００１１】
上記ポスト１２を往回動Ａさせてこのポスト１２を基台１１に近接させたとき、上記ポスト１２の自重が、上記ばね１５の付勢によるポスト１２の復回動Ｂを阻止するようにし、
【００１２】
上記起立姿勢のポスト１２の下部における上下方向の中途部を上記枢支具１３により基台１１に枢支し、上記ポスト１２の下部自由端１２ａが上記ポスト１２の往回動Ａで上方回動する一方、上記ポスト１２の復回動Ｂで下方回動するようにし、このポスト１２が往回動Ａした状態で、このポスト１２の下部自由端１２ａをその上方から踏動Ｆ可能とし、この踏動Ｆと上記ばね１５の付勢力とにより上記ポスト１２を復回動Ｂさせて上記起立姿勢にさせることができるようにしたことを特徴とする球打撃練習用ティーである。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、グランド上に設置される基台と、この基台から上方に向かって突出する起立姿勢とされ、その突出端部の上端面に打撃される球を載置可能とするポストとを備え、このポストの少なくとも上部が弾性を有した球打撃練習用ティーにおいて、
上記ポストの上部側が球の打撃方向の前方に向かって往回動可能、かつ、これとは逆に復回動可能となるよう上記ポストの下部を上記基台に枢支する枢支具と、上記ポストの上記起立姿勢からの後方回動を阻止するストッパと、上記基台とポストとに架設され、このポストを復回動させるよう付勢するばねとを設けている。
【００１６】
ここで、上記ティーのポスト上の球を練習者がバットで打撃する練習を行なう場合、通常、上記ポストの上端部には球の打撃方向の前方に向かってバットから衝撃力が与えられる。この場合、この衝撃力は、上記ポストの上部が前下方に向かって弾性的に屈曲することにより緩和される。
【００１７】
また、上記したように、打撃時にバットからポストの上端部に与えられる衝撃力により、上記ポストの上部側は上記ばねの付勢力に対抗しつつ上記枢支具を中心として往回動するため、上記衝撃力は、更に緩和される。
【００１８】
よって、打撃時の衝撃力に基づき、ティーがグランド上を位置ずれすることは効果的に抑制されるのであり、このため、上記ティーの位置ずれの修正作業を少なくでき、その分、打撃練習の効果の向上が達成される。
【００１９】
また、上記したように、打撃時の衝撃力により、上記ポストの上部は前下方に向かって弾性的に屈曲するが、これと共に、上記ポストの上部側は往回動するため、このようにポストの上部側が往回動した分だけ、上記ポストの上部の屈曲角度は小さくされて、この屈曲部に生じる内部応力は小さく抑制される。よって、このポストの上部が早期に損傷する、ということは防止され、これにより、ティーの寿命の向上が達成される。
【００２０】
また、上記ポストを往回動させてこのポストを基台に近接させたとき、上記ポストの自重が、上記ばねの付勢によるポストの復回動を阻止するようにしている。
【００２１】
このため、上記したように、ポストを往回動させてこのポストを基台に近接させたときには、上記ばねによる付勢に対抗して上記ポストの復回動を阻止する、という作業は不要である。よって、上記ティーをコンパクトにする作業は、より容易にできて便利である。
【００２２】
また、上記起立姿勢のポストの下部における上下方向の中途部を上記枢支具により基台に枢支し、上記ポストの下部自由端が上記ポストの往回動で上方回動する一方、上記ポストの復回動で下方回動するようにし、このポストが往回動した状態で、このポストの下部自由端をその上方から踏動可能とし、この踏動と上記ばねの付勢力とにより上記ポストを復回動させて上記起立姿勢にさせることができるようにしている。
【００２３】
ここで、前記したように、ティーをコンパクトにしようとしてポストを往回動させた場合や、打撃時に上記ポストの上端部に与えられた衝撃力が過大であるために、上記ばねの付勢力に対抗しつつポストがその起立姿勢から所定の角度範囲を越えて大きく往回動した場合には、この往回動したポストの自重が、上記ばねの付勢によるポストの復回動を阻止することとなって、このポストは往回動したままの状態に保持される。
【００２４】
そして、上記したようにポストが往回動した状態からこのポストを復回動させて起立姿勢にさせようとするときには、まず、上記往回動状態のポストの自重に対抗するようこのポストの下部自由端を踏動して、ある程度復回動させ、その後は、上記ばねの付勢力でポストを復回動させればよい。そして、上記踏動時には、上記ポストを復回動させるよう上記ばねの付勢力が既にある程度上記ポストに与えられているため、その分、軽い踏動の操作力で、このポストを容易に起立姿勢にさせることができる。
【００２５】
しかも、このようにポストを起立させるための操作は、屈むことなくポストの下部自由端を単に踏動することで可能なため、上記往回動状態のポストを起立姿勢にさせることは極めて容易にできる。
【図面の簡単な説明】
【００２６】
【図１】図２の部分拡大詳細図である。
【図２】側面図である。
【図３】平面図である。
【発明を実施するための形態】
【００２７】
本発明の球打撃練習用ティーに関し、グランド上に設置したティー上の球に対し、打撃練習を繰り返し行なう場合に、グランド上におけるティーの位置ずれの発生を抑制して、このティーの位置ずれの修正作業を少なくできるようにし、もって、打撃練習の効果を向上させるようにする、という目的を実現するため、本発明を実施するための形態は、次の如くである。
【００２８】
即ち、球打撃練習用ティーは、グランド上に設置される基台と、この基台から上方に向かって突出する起立姿勢とされ、その突出端部の上端面に打撃される球を載置可能とするポストとを備え、このポストの少なくとも上部が弾性を有している。上記ポストの上部側が球の打撃方向の前方に向かって往回動可能、かつ、これとは逆に復回動可能となるよう上記ポストの下部を上記基台に枢支する枢支具と、上記ポストの上記起立姿勢からの後方回動を阻止するストッパと、上記基台とポストとに架設され、このポストを復回動させるよう付勢するばねとが設けられている。
【００２９】
上記ポストを往回動させてこのポストを基台に近接させたとき、上記ポストの自重が、上記ばねの付勢によるポストの復回動を阻止するようにされている。
【００３０】
上記起立姿勢のポストの下部における上下方向の中途部が上記枢支具により基台に枢支される。上記ポストの下部自由端が上記ポストの往回動で上方回動する一方、上記ポストの復回動で下方回動するようにし、このポストが往回動した状態で、このポストの下部自由端がその上方から踏動可能とされる。そして、この踏動と上記ばねの付勢力とにより上記ポストを復回動させて上記起立姿勢にさせることができるようにされている。
【実施例】
【００３１】
本発明をより詳細に説明するために、その実施例を添付の図に従って説明する。
【００３２】
図において、符号１は、野球やソフトボールについての球打撃練習装置である。この球打撃練習装置１は、グランド２上の所望位置に設置され、かつ、球４を所定高さとなるよう載置させ、この球４を練習者５がバット６により打撃可能にさせるものである。なお、説明の便宜上、球４の打撃方向を前方（矢印Ｆｒ）とし、下記する左右とは、上記前方に向かっての方向をいうものとする。
【００３３】
上記球打撃練習装置１は、グランド２上に設置され、打撃される球４を、その上端面に載置可能とするティー７と、打撃された球４を緩衝しつつ受け止めてこの球４が自由に遠くまで飛びことを防止する飛球防止膜状体８とを備えている。
【００３４】
上記ティー７は、グランド２上に設置される基台１１と、この基台１１から上方に向かって鉛直方向に突出して起立姿勢とされ、その突出端部の上端面に球４を載置可能とするポスト１２と、上記ポスト１２の上部側が球４の打撃方向の前方に向かって往回動Ａ可能、かつ、これとは逆に復回動Ｂ可能となるよう上記ポスト１２の下部を基台１１に枢支する枢支具１３と、上記ポスト１２の上記起立姿勢からの後方回動を阻止するストッパ１４と、上記基台１１とポスト１２とに架設され、このポスト１２を復回動Ｂさせるよう弾性的に付勢するコイルスプリング式のばね１５とを有している。
【００３５】
具体的には、上記基台１１は、平面視（図１）で上記ティー７のポスト１２側から膜状体８側に向かって開くＶ字形状とされ、円形パイプ材の屈曲により形成されている。上記ポスト１２は、このポスト１２の上部を構成し弾性を有するゴム製の上部ポスト部材１８と、上記ポスト１２の上下方向の中途部を構成し円形パイプ材で形成される中途部ポスト部材１９と、上記ポスト１２の下部を構成し円形パイプ材で形成される下部ポスト部材２０とを備えている。
【００３６】
上記下部ポスト部材２０の下部は上記枢支具１３により上記基台１１に枢支されている。上記下部ポスト部材２０の上部に上記中途部ポスト部材１９の下部が上下に摺動可能に嵌入され、所望の摺動位置で、上記下部ポスト部材２０に中途部ポスト部材１９を着脱可能に固着する固着具２１が設けられている。また、上記中途部ポスト部材１９に上部ポスト部材１８が連結されている。この上部ポスト部材１８の下部には、この上部ポスト部材１８が弾性的に屈曲し易いよう蛇腹部２２が形成されている。また、この上部ポスト部材１８の上端部には、上端面が球４の載置を可能とさせる凹面とされた球受部２３が形成されている。
【００３７】
前記枢支具１３は、上記基台１１の後部に上方に向かって突設される左右一対の支持片２６，２６と、これら左右支持片２６，２６の間に挿入された上記下部ポスト部材２０の下部を上記左右支持片２６，２６に枢支させる枢支軸２７とを有している。この枢支軸２７の軸心は左右方向に延びている。具体的には、上記起立姿勢のポスト１２の下部における上下方向の中途部が上記枢支具１３の枢支軸２７により枢支されている。そして、この枢支軸２７よりも下側に位置する上記ポスト１２の下部自由端１２ａは、上記ポスト１２の往回動Ａで上方回動する一方、上記ポスト１２の復回動Ｂで下方回動することとされている。
【００３８】
前記ばね１５は、上記ポスト１２の下部自由端１２ａと基台１１との間に架設され、上記枢支軸２７よりも上方に位置する上記ポスト１２の上部側が復回動Ｂするよう上記ばね１５により付勢されている。前記ストッパ１４は、上記枢支軸２７よりも上方に位置して左右支持片２６，２６の上端部の後面に架設されている。そして、上記ポスト１２が起立姿勢から後方回動しようとするとき、このポスト１２は上記ストッパ１４に当接させられて、その後方回動が阻止される。
【００３９】
上記固着具２１を弛めれば、上記下部ポスト部材２０に対する上記中途部ポスト部材１９の摺動が可能となる。そして、上下方向の所定範囲内におけるこの中途部ポスト部材１９の所望高さで、上記固着具２１により下部ポスト部材２０に対し中途部ポスト部材１９を固着すれば、この中途部ポスト部材１９と共に上部ポスト部材１８の高さ調整がされる。つまり、この上部ポスト部材１８上の球４につき、高さの位置調整ができる。
【００４０】
上記ポスト１２の下部ポスト部材２０に対し中途部ポスト部材１９を下方に向けて摺動させ、このポスト１２を最収縮状態として、図１中二点鎖線で示すように、上記ばね１５の付勢力に対抗して上記ポスト１２を往回動Ａさせ、このポスト１２を上記基台１１に折り畳むよう近接させたとき、それ以上の上記ポスト１２の往回動Ａは上記ストッパ１４により阻止される。
【００４１】
また、上記したようにポスト１２を往回動Ａさせ、このポスト１２を上記基台１１に近接させて上記ストッパ１４により、それ以上の往回動Ａが阻止されたとき、上記ポスト１２の自重が、上記ばね１５の付勢によるポスト１２の復回動Ｂを阻止することとされ、このポスト１２は往回動Ａ状態に保持される。また、このポスト１２の往回動Ａ状態では、このポスト１２の下部自由端１２ａは上記枢支具１３の各支持片２６から後方に突出することとされている。これにより、上記ポスト１２の下部自由端１２ａはその上方から踏動Ｆ可能とされている。
【００４２】
前記膜状体８は、グランド２上に設置される膜状体フレーム２９と、この膜状体フレーム２９の枠内を全体的に覆うようこの膜状体フレーム２９に取り付けられる膜状体本体３０とを有している。具体的には、上記膜状体フレーム２９は円形パイプ材により正面視門形となるよう屈曲形成され、その下端部の左右各端部は、それぞれ上記グランド２の上面近傍に位置し、後方に向かって屈曲されている。上記膜状体本体３０はネット製で全体的に弛んだ状態で上記膜状体フレーム２９に取り付けられる。なお、この膜状体本体３０は布製であってもよく、ネットと布とを組み合わせたものであってもよい。
【００４３】
上記ティー７と膜状体８の膜状体フレーム２９とを連結する連結体３３が設けられている。この連結体３３は、グランド２の上面近傍に位置し、この上面に沿って延びる左右一対の長尺材３４，３４を有している。これら各長尺材３４は、それぞれ円形パイプ材で形成され、ティー７側の各端部は、このティー７の基台１１の各端部（前端部）に締結具３５により着脱可能に固着され、膜状体８側の各端部は、上記膜状体フレーム２９の下端部における左右各端部に締結具３６により着脱可能に固着されている。
【００４４】
上記の場合、連結体３３のティー７側の端部は、このティー７のポスト１２の下部ポスト部材２０に連結してもよい。
【００４５】
上記連結体３３の左右各長尺材３４はそれぞれ直線的に延び、平面視（図３）で、上記ティー７側から膜状体８側に向かって開くハの字形状となるよう形成されている。
【００４６】
上記連結体３３の各長尺材３４はそれぞれグランド２の上面に当接して、上記ティー７と膜状体８とを支持しており、これにより、これらティー７と膜状体８とは上記連結体３３によってグランド２上に自立させられている。なお、グランド２の上面に上記ティー７と膜状体８とをそれぞれ当接させ、これら７，８を上記連結体３３で連結して、上記ティー７と膜状体８とをそれぞれグランド２上に自立させてもよい。
【００４７】
上記各締結具３５，３６を弛めれば、上記球打撃練習装置１は、ティー７、膜状体８、および連結体３３の各長尺材３４に分解されてコンパクトに収納可能とされる。
【００４８】
上記球打撃練習装置１を用いての練習者５による球打撃練習時には、まず、上記ティー７のポスト１２の上端面の球受部１５に、各図中一点鎖線で示すように球４を載置して、この球４を所定高さに位置させる。練習者５は、上記ティー７の側方のグランド２上に立ってバット６を構える。そして、上記ティー７上の球４から眼が離れないようこの球４をよく見た状態でバット６を振ることにより、所望の打撃練習を行なう。この際、この球４の打撃方向は、打撃された球４が上記飛球防止膜状体８に向かう方向とされる。
【００４９】
また、上記打撃時、通常、上記ポスト１２の上端部には球４の打撃方向の前方に向かってバット６から衝撃力が与えられるが、この衝撃力は、上記ポスト１２の上部ポスト部材１８が前下方に向かって弾性的に屈曲することと、上記ポスト１２の上部側が上記ばね１５の付勢力に対抗しつつ往回動Ａすることとによって緩和される。なお、上記打撃による衝撃力により、ポスト１２の上部側が上記起立姿勢から所定の角度範囲内で往回動Ａして停止した場合には、その後、上記ばね１５の付勢により直ちに復回動Ｂさせられ、元の起立姿勢に戻る。
【００５０】
そして、上記のように打撃されて膜状体８の膜状体本体３０に向かう球４は、上記膜状体本体３０が緩衝しつつ受け止めて、この球４が自由に遠くまで飛ぶことを防止する。また、この球４は、その自重により上記膜状体本体３０の下部側に落下して集められる。
【００５１】
上記打撃を所望回数繰り返し行なった場合、一旦、上記膜状体本体３０の下部側に集まった球４や、膜状体８で跳ね返って膜状体８周りのグランド２上に落下して散乱している球４を集球して、その後の打撃練習に備えることとされる。。
【００５２】
なお、以上は図示の例によるが、ティー７と膜状体８とは、それぞれ個別にグランド２上に自立可能なものとしてもよい。また、上記ティー７は全体的に弾性を有するようにしてもよい。また、上記基台１１は板形状であってもよく、前後に長い一本の部材で形成してもよい。また、上記連結体３３の一部もしくは全部を弾性材で形成してもよい。
【００５３】
また、上記した連結体３３の構成に代えて、この連結体３３を、図３中二点鎖線で示すようにしてもよい。即ち、上記連結体３３の左右各長尺材３４，３４における上記ティー７側の部分は、このティー７側から膜状体８の膜状体本体３０の左右方向での中央部側に向かって延びるよう形成され、つまり、上記基台１１は、平面視（図３）で、上記ティー７のポスト１２側から膜状体８側に向かって開くＵ字形状とされる。また、上記左右各長尺材３４，３４における膜状体８側の部分は、上記したように、平面視（図３）で、膜状体８側に向かって大きく開くハの字形状となるよう形成される。
【００５４】
また、上記した連結体３３の構成に代えて、この連結体３３を、図３中三点鎖線で示すようにしてもよい。即ち、左右に延びて、上記膜状体８の膜状体フレーム２９の下端部における左右各端部に不図示の締結具により着脱可能に連結される連結フレームが設けられる。上記連結体３３の左右長尺材３４，３４は互いに平行となるよう前後方向に直線的に延びるよう設けられ、これら左右長尺材３４，３４の各前端部が上記連結フレームの左右方向での中央部に連結される。なお、上記左右長尺材２４，２４は、これに代えて、一本の棒材や帯状材で形成してもよい。
【００５５】
上記構成によれば、ポスト１２の上部側が球４の打撃方向の前方に向かって往回動Ａ可能、かつ、これとは逆に復回動Ｂ可能性となるよう上記ポスト１２を上記基台１１に枢支する枢支具１３と、上記ポスト１２の上記起立姿勢からの後方回動を阻止するストッパ１４と、上記基台１１とポスト１２とに架設され、このポスト１２を復回動Ｂさせるよう付勢するばね１５とを設けている。
【００５６】
ここで、上記ティー７のポスト１２上の球４を練習者５がバット６で打撃する練習を行なう場合、通常、上記ポスト１２の上端部には球４の打撃方向の前方に向かってバット６から衝撃力が与えられる。この場合、この衝撃力は、上記ポスト１２の上部を構成する上部ポスト部材１８の蛇腹部２２が主に前方に向かって弾性的に屈曲することにより緩和される。
【００５７】
また、上記したように、打撃時にバット６からポスト１２の上端部に与えられる衝撃力により、上記ポスト１２の上部側は上記ばね１５の付勢力に対抗しつつ上記枢支具１３を中心として往回動Ａするため、上記衝撃力は、更に緩和される。
【００５８】
よって、打撃時の衝撃力に基づき、ティー７がグランド２上を位置ずれすることは効果的に抑制されるのであり、このため、上記ティー７の位置ずれの修正作業を少なくでき、その分、打撃練習の効果の向上が達成される。
【００５９】
また、上記したように、打撃時の衝撃力により、上記ポスト１２の上部を構成する上部ポスト部材１８の蛇腹部２２は前下方に向かって弾性的に屈曲するが、これと共に、上記ポスト１２の上部側は往回動Ａする（図１中一点鎖線）。このため、このようにポスト１２の上部側が往回動Ａした分だけ、上記ポスト１２の上部を構成する上部ポスト部材１８の蛇腹部２２の屈曲角度は小さくされて、この屈曲部に生じる内部応力は小さく抑制される。よって、このポスト１２の上部が早期に損傷する、ということは防止され、これにより、ティー７の寿命の向上が達成される。
【００６０】
また、前記したように、ばね１５の付勢力に対抗して上記ポスト１２を往回動Ａさせ、このポスト１２を上記基台１１に近接させたとき、それ以上の上記ポスト１２の往回動Ａは上記ストッパ１４により阻止されるようになっている。
【００６１】
このため、上記ティー７の不使用時や搬送時には、上記ポスト１２をその起立姿勢から往回動Ａさせ、この往回動Ａが上記ストッパ１４によって阻止されるまでこの往回動Ａを単に続ければ、このポスト１２は基台１１に近接することとなって、上記ティー７を自動的にコンパクトな形状にできる。よって、上記ティー７の不使用時や搬送時に、このティー７をコンパクトにする作業は容易にできて便利である。
【００６２】
また、前記したように、ポスト１２を往回動Ａさせてこのポスト１２を基台１１に近接させたとき、上記ポスト１２の自重が、上記ばね１５の付勢によるポスト１２の復回動Ｂを阻止するようにしている。
【００６３】
このため、上記したように、ポスト１２を往回動Ａさせてこのポスト１２を基台１１に近接させたときには、上記ばね１５による付勢に対抗して上記ポスト１２の復回動Ｂを阻止する、という作業は不要である。よって、上記ティー７をコンパクトにする作業は、より容易にできて便利である。
【００６４】
また、前記したように、起立姿勢のポスト１２の下部における上下方向の中途部を上記枢支具１３により基台１１に枢支し、上記ポスト１２の下部自由端１２ａが上記ポスト１２の往回動Ａで上方回動する一方、上記ポスト１２の復回動Ｂで下方回動するようにし、このポスト１２が往回動Ａした状態（図１中二点鎖線）で、このポスト１２の下部自由端１２ａをその上方から踏動Ｆ可能とし、この踏動Ｆと上記ばね１５の付勢力とにより上記ポスト１２を復回動Ｂさせて上記起立姿勢にさせることができるようにしている。
【００６５】
ここで、前記したように、ティー７をコンパクトにしようとしてポスト１２を往回動Ａさせた場合や、打撃時に上記ポスト１２の上端部に与えられた衝撃力が過大であるために、上記ばね１５の付勢力に対抗しつつポスト１２がその起立姿勢から所定の角度範囲を越えて大きく往回動Ａした場合には、この往回動Ａしたポスト１２の自重が、上記ばね１５の付勢によるポスト１２の復回動Ｂを阻止することとなって、このポスト１２は往回動Ａしたままの状態に保持される。
【００６６】
そして、上記したようにポスト１２が往回動Ａした状態からこのポスト１２を復回動Ｂさせて起立姿勢にさせようとするときには、まず、上記往回動Ａ状態のポスト１２の自重に対抗するようこのポスト１２の下部自由端１２ａを踏動Ｆして、ある程度復回動Ｂさせ、その後は、上記ばね１５の付勢力でポスト１２を復回動Ｂさせればよい。そして、上記踏動Ｆ時には、上記ポスト１２を復回動Ｂさせるよう上記ばね１５の付勢力が既にある程度上記ポスト１２に与えられているため、その分、軽い踏動Ｆの操作力で、このポスト１２を容易に起立姿勢にさせることができる。
【００６７】
しかも、このようにポスト１２を起立させるための操作は、屈むことなくポスト１２の下部自由端１２ａを単に踏動Ｆすることで可能なため、上記往回動Ａ状態のポスト１２を起立姿勢にさせることは極めて容易にできる。
【００６８】
また、前記したように、ティー７と飛球防止膜状体８の膜状体フレーム２９とを連結する連結体３３を設けている。
【００６９】
このため、上記ティー７のポスト１２上の球４を練習者５がバット６で打撃する練習を繰り返し行なう場合、このバット６から上記ティー７のポスト１２に与えられる衝撃力は、上記連結体３３を介し膜状体８によっても支持されることから、上記衝撃力に基づくグランド２上でのティー７の位置ずれの発生が抑制される。また、仮に、ティー７に位置ずれが生じたとしても、このティー７と膜状体８とは連結体３３により連結されているため、上記ティー７と膜状体８との相対位置は適正に保たれる。よって、ティー７の位置ずれの修正作業を少なくでき、その分、打撃練習の効果の向上が達成される。
【００７０】
また、上記したように、膜状体８では膜状体フレーム２９に膜状体本体３０を弛んだ状態で取り付けている。このため、打撃時に、ティー７のポスト１２から連結体３３を介して上記膜状体８の膜状体フレーム２９に衝撃力が与えられるとき、この膜状体フレーム２９に対し上記膜状体本体３０がわずかながらでも相対的に揺れることにより、上記衝撃力に基づくエネルギーが吸収されて、この衝撃力が緩和される。よって、上記ティー７の位置ずれの発生が、より効果的に抑制されることから、これによっても、ティー７の位置ずれの修正作業を少なくでき、その分、打撃練習の効果の向上が達成される。
【００７１】
また、前記したように、連結体３３が、グランド２の上面近傍に位置すると共に、この上面に沿って延びる左右一対の長尺材３４，３４を有している。
【００７２】
このため、打撃された球４が膜状体８で跳ね返ってグランド２上に落下し、その慣性力で上記膜状体８から離れるよう転動しようとしても、この転動は上記連結体３３の各長尺材３４により防止されて、上記球４は左右長尺材３４，３４の間のグランド２上に集められる。よって、これら球４の集球作業が容易かつ迅速にできることから、打撃練習の効果の向上が、より確実に達成される。
【００７３】
また、前記したように、ティー７の基台１１と、上記膜状体８の膜状体フレーム２９の下端部における左右各端部とをそれぞれ上記長尺材３４で連結している。
【００７４】
このため、上記膜状体８の膜状体フレーム２９の左右幅寸法に応じて、上記左右長尺材３４，３４の間の面積を、より大きくできる。よって、打撃された球４が膜状体８で跳ね返ってグランド２上に落下するとき、上記球４を左右長尺材３４，３４の間に集めることが、より確実に達成できることから、打撃練習の効果の向上が、更に確実に達成される。
【００７５】
また、前記図３中二点鎖線で示したように、連結体３３におけるティー７側の部分を、このティー７側から上記膜状体８の膜状体本体３０の左右方向での中央部側に向かって延びるよう形成している。
【００７６】
このため、上記したように連結体３３におけるティー７側の部分が膜状体本体３０の左右方向での中央部側に向かって延びる分、上記ティー７の側方におけるグランド２上の面積を、より大きくできる。よって、練習者５がティー７の側方のグランド２上に立ってティー７上の球４を打撃する際、足の動作範囲を、より広く採り得ることから、打撃練習の効果の向上が、更に確実に達成される。
【００７７】
また、前記したように、上記ティー７と膜状体８とを上記連結体３３により互いに連結したことにより、上記ティー７と膜状体８とをグランド２上にそれぞれ自立させている。
【００７８】
このため、上記連結体３３の利用により、ティー７と膜状体８とを個別に自立させないで足りる分、球打撃練習装置１の構成を簡単にできる。
【符号の説明】
【００７９】
１    球打撃練習装置
２    グランド
４    球
５    練習者
６    バット
７    ティー
８    膜状体
１１  基台
１２  ポスト
１２ａ  下部自由端
１３  枢支具
１４  ストッパ
１５  ばね
１８  上部ポスト部材
１９  中途部ポスト部材
２０  下部ポスト部材
２１  固着具
２２  蛇腹部
２３  球受部
２６  支持片
２７  枢支軸
Ａ    往回動
Ｂ    復回動
Ｆ    踏動
【図１】
0005709667.tif 000002
【図２】
0005709667.tif 000003
【図３】
0005709667.tif 000004